(57)【要約】【課題】  画像形成装置の使い勝手を向上させる。【解決手段】  右前曲面１１１の曲率半径が左前曲面１１５の曲率半径より大きくする。これにより、操作パネル４００を操作する際に、プリンタ部１００の右角部に手が当たってしまうことを抑制できるとともに、仮にプリンタ部１００の右角部に手が当たってしまったときであっても、その際の衝撃（痛み）を小さくすることができる。【選択図】  図１
2008052037.tif 000002
【特許請求の範囲】
【請求項１】
記録シートに画像を形成するプリンタ部、及び原稿の画像を読み取るとともに、支柱部を介して前記プリンタ部の上方側に所定間隔を有して配設されたスキャナ部を有し、
前記プリンタ部と前記スキャナ部との間に前記プリンタ部から排出される記録シートが載置される排出空間が設けられた画像形成装置であって、
前記スキャナ部又は前記プリンタ部を操作設定する操作パネルを備え、
前記操作パネルが設けられた側を前面側とした場合において、
前記排出空間は、少なくとも前面側に開口部を有しており、
さらに、前記プリンタ部のうち前面側から見て向かって右側面と前記プリンタ部の前面とを繋ぐ部位の曲率半径は、前記プリンタ部のうち前面側から見て向かって左側面と前記プリンタ部の前面とを繋ぐ部位の曲率半径より大きいことを特徴とする画像形成装置。
【請求項２】
前記プリンタ部の前面側には、前記プリンタ部の前面側を開閉する開閉ドアが設けられ、
前記スキャナ部の前端部は、前記プリンタ部の前端部より後方側に位置しており、
さらに、前記操作パネルの前端部が、前記開閉ドアの後端部より後方側に位置していることを特徴とする請求項１に記載の画像形成装置。
【請求項３】
前記プリンタ部の前面側には、前面側から見て向かって左側に外部機器を接続するための接続端子が設けられていることを特徴とする請求項１又は２に記載の画像形成装置。
【請求項４】
前記支柱部の前面側には、前方側に向かうほど低くなるように傾斜した傾斜面が設けられ、
前記排出空間の上方側を開閉することができるように、前記スキャナ部が前記支柱部に対して揺動可能に組み付けられており、
さらに、前記スキャナ部と前記支柱部と境界線が、前記傾斜面に位置していることを特徴とする請求項１ないし３のいずれか１つに記載の画像形成装置。
【請求項５】
前記スキャナ部は、原稿読み取り部に原稿を自動搬送する自動原稿搬送機構、及び前記自動原稿搬送機構にて搬送される原稿が載置される原稿トレイを有しており、
さらに、前記原稿トレイのうち前記自動原稿搬送機構と反対側の前方側であって、前面側から見て向かって右側の角部は、角が丸くなっていることを特徴とする請求項１ないし４のいずれか１つに記載の画像形成装置。
【請求項６】
前記プリンタ部の側面と前記プリンタ部の前面又は後面とを繋ぐ部位のうち、少なくとも１箇所は曲面状に形成されており、
さらに、前記曲面状に形成された部位には、プリンタ部内外を連通させる通気口が設けられていることを特徴とする請求項１ないし５のいずれか１つに記載の画像形成装置。
【請求項７】
前記操作パネルは、前記スキャナ部に一体化されており、
さらに、前記操作パネルの右端部は、前記スキャナ部の右端部より左側に位置し、かつ、前記操作パネルの左端部は、前記スキャナ部の左端部より右側に位置していることを特徴とする請求項１ないし６のいずれか１つに記載の画像形成装置。
【請求項８】
前記排出空間の底部の明度は、前記プリンタ部の前面の明度より暗いことを特徴とする請求項１ないし７のいずれか１つに記載の画像形成装置。
【請求項９】
前記操作パネルは、前記排出空間の開口部の上部に配設されており、
前記操作パネル及び前記排出空間の底部の明度は、前記支柱部の明度より暗いことを特徴とする請求項４に記載の画像形成装置。
【請求項１０】
前記プリンタ部の下部には、把持部が設けられていることを特徴とする請求項１ないし９のいずれか１つに記載の画像形成装置。
【請求項１１】
前記スキャナ部は、
画像読み取り用の読み取り窓を挟んで下方側に設けられて左右方向に走査されながら画像を読み取る画像撮像素子、及び
前記読み取り窓を覆うスキャナカバーを有しており、
前記スキャナカバーのうち前記画像撮像素子の走査開始位置に対応する部位の明度は、その他の部位の明度に比べて暗いことを特徴とする請求項１ないし１０のいずれか１つに記載の画像形成装置。
【発明の詳細な説明】
【技術分野】
【０００１】
本発明は、画像形成装置に関するものである。
【背景技術】
【０００２】
例えば、特許文献１に記載の発明では、プリンタ部の上方側にスキャナ部を設けるとともに、プリンタ部とスキャナ部との間にプリンタ部から排出される記録用紙等の記録シートが載置される排出空間が設けることにより、画像形成装置の小型化及び意匠性（デザイン性）の向上を図っている。
【特許文献１】特開２００４−２１４４９４号公報
【発明の開示】
【発明が解決しようとする課題】
【０００３】
しかし、ユーザは、小型化及び意匠性の向上に加えて、更に、使い勝手の優れた画像形成装置を欲している。
本発明は、上記点に鑑み、画像形成装置の使い勝手を向上させることを目的とする。
【課題を解決するための手段】
【０００４】
本発明は、上記目的を達成するために、請求項１に記載の発明では、記録シートに画像を形成するプリンタ部（１００）、及び原稿の画像を読み取るとともに、支柱部（３００）を介してプリンタ部（１００）の上方側に所定間隔を有して配設されたスキャナ部（２００）を有し、プリンタ部（１００）とスキャナ部（２００）との間にプリンタ部（１００）から排出される記録シートが載置される排出空間（１０１）が設けられた画像形成装置であって、スキャナ部（２００）又はプリンタ部（１００）を操作設定する操作パネル（４００）を備え、操作パネル（４００）が設けられた側を前面側とした場合において、排出空間（１０１）は、少なくとも前面側に開口部（１０１Ｂ）を有しており、さらに、プリンタ部（１００）のうち前面側から見て向かって右側面（１０７）とプリンタ部（１００）の前面（１０９）とを繋ぐ部位の曲率半径は、プリンタ部（１００）のうち前面側から見て向かって左側面（１１３）とプリンタ部（１００）の前面（１０９）とを繋ぐ部位の曲率半径より大きいことを特徴とする。
【０００５】
そして、ユーザが操作パネル（４００）を操作すべく、一般的に多いとされる利き手である右手を操作パネル（４００）側に移動させる際に、プリンタ部（１００）の右角部に手が当たってしまう可能性があるが、請求項１に記載の発明では、プリンタ部（１００）の右側面（１０７）とプリンタ部（１００）の前面（１０９）とを繋ぐ部位の曲率半径が、プリンタ部（１００）の左側面（１１３）とプリンタ部（１００）の前面（１０９）とを繋ぐ部位の曲率半径より大きくなっているので、プリンタ部（１００）の右角部に手が当たってしまうことを抑制できるとともに、仮にプリンタ部（１００）の右角部に手が当たってしまったときであっても、その際の衝撃（痛み）を小さくすることができる。
【０００６】
請求項２に記載の発明では、プリンタ部（１００）の前面側には、プリンタ部（１００）の前面側を開閉する開閉ドア（１０３）が設けられ、スキャナ部（２００）の前端部は、プリンタ部（１００）の前端部より後方側に位置しており、さらに、操作パネル（４００）の前端部が、開閉ドア（１０３）の後端部より後方側に位置していることを特徴とする。
【０００７】
これにより、ユーザは排出空間（１０１）の開口部（１０１Ｂ）を斜め上方側から視認することができるので、排出空間（１０１）に排出された記録シートを容易に取り出すことができるとともに、排出空間（１０１）から記録シートを取り出す際に、手が操作パネル（４００）に当たってしまうことを抑制できる。さらに、開閉ドア（１０３）を開閉する際においても操作パネル（４００）が邪魔にならず操作パネル（４００）の操作性が向上する。
【０００８】
請求項３に記載の発明では、プリンタ部（１００）の前面側には、前面側から見て向かって左側に外部機器外部機器を接続するための接続端子（１０５）が設けられていることを特徴とする。
【０００９】
これにより、接続端子（１０５）は、右手を操作しても当たり難い画像形成装置の向かって左側にける曲率半径が小さい比較的角張った角部に搭載されることとなるので、曲率半径が大きい丸みを帯びた角部に搭載される場合に比べて、接続端子（１０５）をプリンタ部（１００）内に搭載するためにスペースを容易に確保することができる。
【００１０】
請求項４に記載の発明では、支柱部（３００）の前面側には、前方側に向かうほど低くなるように傾斜した傾斜面（３０１）が設けられ、排出空間（１０１）の上方側を開閉することができるように、スキャナ部（２００）が支柱部（３００）に対して揺動可能に組み付けられており、さらに、スキャナ部（２００）と支柱部（３００）と境界線（３０２）が、傾斜面（３０１）に位置していることを特徴とする。
【００１１】
これにより、ユーザは、スキャナ部（２００）を揺動させて排出空間（１０１）を開くことにより排出空間（１０１）に排出された葉書等の比較的小さな記録シートを容易に取り出すことができる。そして、スキャナ部（２００）と支柱部（３００）と境界線（３０２）が傾斜面（３０１）に位置しているので、ユーザは、スキャナ部（２００）を揺動させて排出空間（１０１）を開く際に、上方側から境界線を視認することができる。
【００１２】
請求項５に記載の発明では、スキャナ部（２００）は、原稿読み取り部（２０３）に原稿を自動搬送する自動原稿搬送機構（２１０）、及び自動原稿搬送機構（２１０）にて搬送される原稿が載置される原稿トレイ（２１１）を有しており、さらに、原稿トレイ（２１１）のうち自動原稿搬送機構（２１０）と反対側の前方側であって、前面側から見て向かって右側の角部は、角が丸くなっていることを特徴としている。
【００１３】
また、請求項６に記載の発明では、プリンタ部（１００）の側面（１０７、１１３）とプリンタ部（１００）の前面（１０９）又は後面（１１７）とを繋ぐ部位のうち、少なくとも１箇所は曲面状に形成されており、さらに、曲面状に形成された部位（１１１）には、プリンタ部（１００）内外を連通させる通気口（１２３）が設けられていることを特徴とする。
【００１４】
そして、例えば画像形成装置を壁に密着させるように設置した場合であっても、曲面状に形成された部位（１１１）と壁との間には隙間が発生するので、請求項６に記載の発明のごとく、曲面状に形成された部位（１１１）に通気口（１２３）を設ければ、画像形成装置を壁に密着させるように設置した場合であっても、通気口（１２３）に空気を流通させることができる。
【００１５】
請求項７に記載の発明では、操作パネル（４００）は、スキャナ部（２００）に一体化されており、さらに、操作パネル（４００）の右端部（４００Ａ）は、スキャナ部（２００）の右端部（２００Ｂ）より左側に位置し、かつ、操作パネル（４００）の左端部（４００Ｂ）は、スキャナ部（２００）の左端部（２００Ｃ）より右側に位置していることを特徴とする。
【００１６】
これにより、操作パネル（４００）を操作すべく、ユーザが手を操作パネル（４００）側に移動させたときに、手が操作パネル（４００）に当たってしまうことを抑制できる。
請求項８に記載の発明では、排出空間（１０１）の底部（１０１Ａ）の明度は、プリンタ部（１００）の前面の明度より暗いことを特徴とする。
【００１７】
請求項９に記載の発明では、操作パネル（４００）は、排出空間（１０１）の開口部（１０１Ｂ）の上部に配設されており、操作パネル（４００）及び排出空間（１０１）の底部（１０１Ａ）の明度は、支柱部（３００）の明度より暗いことを特徴とする。
【００１８】
請求項１０に記載の発明では、プリンタ部（１００）の下部には、把持部（１２５）が設けられていることを特徴とする。
請求項１１に記載の発明では、スキャナ部（２００）は、画像読み取り用の読み取り窓（２０２）を挟んで下方側に設けられて左右方向に走査されながら画像を読み取る画像撮像素子（２０５）、及び読み取り窓（２０２）を覆うスキャナカバー（２０４）を有しており、スキャナカバー（２０４）のうち画像撮像素子（２０５）の走査開始位置に対応する部位の明度は、その他の部位の明度に比べて暗いことを特徴とする。
【００１９】
ところで、画像撮像素子（２０５）の走査開始位置（ホームポジション）では、走査開始位置の確認作業や白基準の確認作業等が実行されるが、この確認作業時に読み取り窓（２０２）に光が入射すると、確認作業に悪影響を及ぼしてしまう。
【００２０】
これに対して、請求項１１に記載の発明では、スキャナカバー（２０４）のうち画像撮像素子（２０５）の走査開始位置に対応する部位の明度は、その他の部位の明度に比べて暗くなるように設定されているので、スキャナカバー（２０４）を透過して読み取り窓（２０２）に至る光を効果的に遮断することができる。したがって、確認作業時に読み取り窓（２０２）に光が入射してしまうことを抑制できるので、確認作業に悪影響が生じることを抑制できる。
【００２１】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００２２】
図１は本実施形態に係る画像形成装置１の外観斜視図であり、図２は画像形成装置１の正面図であり、図３は図２の左側面図であり、図４は図２の右側面図であり、図５は図２の上面図であり、図６は図２の背面図であり、図７はスキャナ部２０を開いた状態を示す斜視図であり、図８はスキャナカバー２０４が開いた状態を示す斜視図であり、図９はスキャナ部２００の断面図である。
【００２３】
１．画像形成装置１の外観構成等
本実施形態に係る画像形成装置１は、図１に示すように、記録用紙やＯＨＰシート等の記録シートに画像を形成する電子写真方式のプリンタ部１００、及び原稿の画像を読み取るとともに、支柱部３００を介してプリンタ部１００の上方側に所定間隔を有して配設されたスキャナ部２００を有している。
【００２４】
また、プリンタ部１００とスキャナ部２００との間には、プリンタ部１００から排出される記録シートが載置される排出空間１０１が設けられており、この排出空間１０１の底部１０１Ａが排紙トレイとして機能する。そこで、以下、排出空間１０１の底部１０１Ａを排紙トレイ１０１Ａと呼ぶ。
【００２５】
そして、スキャナ部２００のうち排出空間１０１の開口部１０１Ｂの上部に対応する部位には、スキャナ部２００及びプリンタ部１００を操作設定するための操作パネル４００が設けられており、本実施形態に係る画像形成装置１は、操作パネル４００が設けられた側を前面として使用される。
【００２６】
そこで、以下、画像形成装置１を正面側から見て向かって右側を、画像形成装置１（プリンタ部１００、スキャナ部２００）の右側と呼び、画像形成装置１を正面側から見て向かって左側を、画像形成装置１（プリンタ部１００、スキャナ部２００）の左側と呼ぶ。
【００２７】
つまり、本実施形態に係る画像形成装置１では、排出空間１０１は前面側に向けて開口した開口部１０１Ｂを有し、操作パネル４００は画像形成装置１の前面側のうち排出空間１０１より上方側に設けられていることとなる。
【００２８】
また、支柱部３００は、図７に示すように、前方側が開口した状態で排出空間１０１の三方を囲むように略コの字状に設けられており、スキャナ部２００は、略コの字状に設けられた支柱部３００の後方側の部位にヒンジ機構（図示せず。）を介して揺動可能に組み付けられている。
【００２９】
そして、本実施形態では、プリンタ部１００にて画像形成が終了した記録シートが排出される排出口１０２が、図７に示すように、略コの字状に設けられた支柱部３００の後方側の部位に設けられているので、スキャナ部２００が開かれると、排出口１０２側が目視可能な状態となる。
【００３０】
また、支柱部３００の前面側には、前方側に向かうほど低くなるように傾斜した傾斜面３０１が設けられており、この傾斜面３０１にスキャナ部２００と支柱部３００と境界線３０２が位置している（図１参照）。
【００３１】
また、プリンタ部１００の前面側には、図１及び図２に示すように、プリンタ部１００の前面側を開閉する開閉ドア１０３、給紙トレイ１０４、マルチパーパストレイ１０６が設けられている。開閉ドア１０３は、図３及び図４に示すように、前面側に倒れるように開くことにより、プロセスカートリッジ（図示せず。）等のプリンタ部１００内に内蔵された画像形成ユニットを着脱することができる。
【００３２】
給紙トレイ１０４は、前記画像形成ユニットに搬送される記録シートを載置する載置トレイであり、この給紙トレイ１０４は、前面側から引き出すように前後方向にスライド（平行移動）可能に配設されている。
【００３３】
マルチパーパストレイ１０６は、図１及び図２に示すように、給紙トレイ１０４の上方において、前面側に倒れるように開閉ドア１０３に対して揺動可能に軸支されており、このマルチパーパストレイ１０６は、給紙トレイ１０４に載置された用紙と異なる用紙に印刷を行いたい場合等に用いられる、いわゆる手差しトレイである。
【００３４】
そして、スキャナ部２００の前端部２００Ａは、プリンタ部１００の前端部１００Ａより後方側に位置し、かつ、操作パネル４００の前端部４００Ｃが、開閉ドア１０３の後端部より後方側に位置している。
【００３５】
一方、操作パネル４００の右端部４００Ａは、図５に示すように、スキャナ部２００の右端部２００Ｂより左側に位置し、かつ、操作パネル４００の左端部４００Ｂは、スキャナ部２００の左端部２００Ｃより右側に位置している。
【００３６】
そして、プリンタ部１００の上方左側には、図２に示すように、ＵＳＢ（Universal Serial Bus ）端子等の外部機器（図示せず。）を接続するための基板１０５Ａに設けられた接続端子１０５が設けられている。
【００３７】
また、プリンタ部１００の右側面１０７とプリンタ部１００の前面１０９とを繋ぐ部位１１１（以下、右前曲面１１１という。）、プリンタ部１００の左側面１１３とプリンタ部１００の前面１０９とを繋ぐ部位１１５（以下、左前曲面１１５という。）、プリンタ部１００の右側面１０７とプリンタ部１００の後面１１７とを繋ぐ部位１１９（以下、右後曲面１１９という。）、及びプリンタ部１００の左側面１１３とプリンタ部１００の後面１１７とを繋ぐ部位１２１（以下、左後曲面１２１という。）の全ては、曲面状に形成されてラウンドしている。
【００３８】
そして、本実施形態では、右前曲面１１１の曲率半径が左前曲面１１５の曲率半径より大きく設定され、かつ、左後曲面１２１の曲率半径が右後曲面１１９の曲率半径より大きく設定されているとともに、右前曲面１１１には、図１に示すように、プリンタ部１００内外を連通させる通気口１２３が設けられている。具体的には、右前曲面１１１及び左後曲面１２１の曲率半径は４０ｍｍ、左前曲面１１５及び右後曲面１１９の曲率半径は５ｍｍに設定されている。
【００３９】
また、プリンタ部１００のうち右側面１０７及び左側面１１３の下端側には、画像形成装置１を把持するための把持部１２５が設けられており、この把持部１２５は、プリンタ部１００の内方側に窪んだ凹部にて構成されている。
【００４０】
ところで、本実施形態では、排紙トレイ１０１Ａの明度がプリンタ部１００の前面１０９の明度より暗くなるように排紙トレイ１０１Ａ及び前面１０９の色彩が設定され、かつ、操作パネル４００及び排紙トレイ１０１Ａの明度が支柱部３００の明度より暗くなるように、操作パネル４００、排紙トレイ１０１Ａ及び支柱部３００の色彩が設定されている。
【００４１】
具体的には、プリンタ部１００の前面１０９の明度はマンセル値で約８であり、排紙トレイ１０１Ａの明度はマンセル値で約２であり、操作パネル４００の明度はマンセル値で約２であり、支柱部３００の明度はマンセル値で約８である。
【００４２】
なお、マンセル値とは、マンセル色票に基づく値であり、明度に関するマンセル値は、その値が大きくなるほど明るくなり、小さくなるほど暗くなる。
２．画像読取装置の概略構成（図９参照）
スキャナ部２００の本体部２０１には、図９に示すように、静止原稿読取機能用の画像読取窓（以下、静止読取窓という。）２０２、及び自動搬送読取機能用の画像読取窓（以下、自動読取窓という。）２０３が設けられており、両読取窓２０２、２０３は、ガラスやアクリル等の透明なプラテン２０２Ａ、２０３Ａにて閉塞されている。
【００４３】
また、本体部２０１の上面側には、両読取窓２０２、２０３を覆うスキャナカバー２０４が揺動可能に組み付けられており、静止読取窓２０２にて原稿読取を行う場合には、このスキャナカバー２０４を手動操作にて上方側に開いて原稿を静止読取窓２０２に載置する。
【００４４】
一方、本体部２０１内には、原稿に照射されて反射した光を受光し、その受光した光に基づいて電気信号を発する画像撮像素子２０５が配設されており、スキャナ部２００は、画像撮像素子２０５を介して原稿に記載された文字等の画像を電気信号に変換して画像を読み取っていく。
【００４５】
因みに、本実施形態では、画像撮像素子２０５として、ＣＩＳ（Contact Image Sensor）を用いており、このＣＩＳ（画像撮像素子２０５）の長手方向は、両読取窓１０２、１０３の直下において、その移動方向と直交する方向（紙面と垂直な方向）に延びている。
【００４６】
また、画像撮像素子２０５は、キャリッジ２０６を介して本体部２０１の長手方向、つまり画像形成装置１の左右方向に走査される。そして、画像撮像素子２０５は、自動搬送読取機能作動時には、自動読取窓２０３の直下に停止配置された状態で画像を読み取り、一方、静止原稿読取機能作動時には、紙面左側に設定された走査開始位置から紙面右側に向けて静止読取窓２０２の直下を移動しながら画像を読み込んでいく。
【００４７】
また、スキャナカバー２０４のうち自動読取窓２０３に対応する部位及びその近傍には、読み取り用の原稿を自動読取窓２０３に搬送する自動原稿搬送機構２１０（オートドキュメントフィーダ）が設けられている。
【００４８】
なお、原稿トレイ２１１は自動読み取り用の原稿を載置するための載置部であり、この原稿トレイ２１１に積層載置された原稿は、自動原稿搬送機構２１０にて自動読取窓２０３に搬送された後、排出トレイ２１２に排出載置される。
【００４９】
そして、原稿トレイ２１１のうち自動原稿搬送機構２１０と反対側の前方側であって、前面側から見て向かって右側の角部２１１Ａは、図５に示すように、角が丸くなっており、一方、スキャナカバー２０４のうち、原稿トレイ２１１及び画像撮像素子２０５の走査開始位置に対応する部位（図５のＡ部）の明度は、その他の部位の明度に比べて暗くなるように設定されている。
【００５０】
具体的には、図５のＡ部及び原稿トレイ２１１等のスキャナカバー２０４の左側部分のマンセル値を５以下（本実施形態では３）とし、その他の部分（スキャナカバー２０４の右側の部分）のマンセル値を５より大きい値（本実施形態では８）としている。
【００５１】
３．本実施形態に係る画像形成装置の特徴
ユーザが操作パネル４００を操作すべく、右手を操作パネル４００側に移動させと、プリンタ部１００の右角部に手が当たってしまう可能性があるが、本実施形態では、右前曲面１１１の曲率半径が左前曲面１１５の曲率半径より大きく設定されているので、プリンタ部１００の右角部に手が当たってしまうことを抑制できるとともに、仮にプリンタ部１００の右角部に手が当たってしまったときであっても、その際の衝撃（痛み）を小さくすることができる。
【００５２】
また、本実施形態では、スキャナ部２００の前端部２００Ａは、プリンタ部１００の前端部１００Ａより後方側に位置し、かつ、操作パネル４００の前端部４００Ｃが、開閉ドア１０３の後端部より後方側に位置しているので、ユーザは排出空間１０１の開口部１０１Ｂを斜め上方側から視認することができる。
【００５３】
したがって、排出空間１０１に排出された記録シートを容易に取り出すことができるとともに、排出空間１０１から記録シートを取り出す際に、手が操作パネル４００に当たってしまうことを抑制できる。さらに、開閉ドア１０３を開閉する際においても操作パネル４００が邪魔にならず操作パネル４００の操作性が向上する。
【００５４】
また、本実施形態では、プリンタ部１００のうち前面側から見て向かって左側に接続端子１０５が設けられているので、接続端子１０５は、右手を操作しても当たり難い画像形成装置の向かって左側における曲率半径が小さい比較的角張った角部に搭載されることとなる。したがって、曲率半径が大きい丸みを帯びた角部に搭載される場合に比べて、右手の操作による接続端子１０５に接続された機器や接続端子１０５自身の破損を抑制することができるとともに接続端子１０５を搭載する矩形状の基板１０５Ａをプリンタ部１００内に搭載するためにスペースを容易に確保することができる。
【００５５】
本実施形態では、支柱部３００の前面側が傾斜し、かつ、スキャナ部２００と支柱部３００と境界線３０２が傾斜面３０１に位置しているので、ユーザは、スキャナ部２００を揺動させて排出空間１０１を開くことにより排出空間１０１に排出された葉書等の比較的小さな記録シートを容易に取り出すことができる。
【００５６】
そして、スキャナ部２００と支柱部３００と境界線３０２が傾斜面３０１に位置しているので、ユーザは、スキャナ部２００を揺動させて排出空間１０１を開く際に、上方側から境界線を視認することができる。
【００５７】
また、本実施形態では、原稿トレイ２１１のうち自動原稿搬送機構２１０と反対側の前方側であって、前面側から見て向かって右側の角部２１１Ａは、角が丸くなっているので、原稿トレイ２１１に原稿を載置する場合や排出トレイ２１２から原稿を取り出す際に、手が原稿トレイ２１１の角に当たってしまうことを防止できるとともに、仮に手が原稿トレイ２１１の角に当たってしまっても、その際の衝撃（痛み）を小さくすることができる。
【００５８】
ところで、画像形成装置１を壁に密着させるように設置すると、画像形成装置に設けられた排気口や吸気口等の通気口が壁にて塞がれた状態となるので、画像形成装置１内の換気（冷却）を行うことができなくなる。
【００５９】
これに対して、本実施形態では、右前曲面１１１に通気口１２３が設けられているので、画像形成装置１を壁に密着させるように設置した場合であっても、右前曲面１１１と壁との間には隙間が発生するので、通気口１２３に空気を流通させることができ、画像形成装置１内の換気（冷却）を行うことができる。
【００６０】
また、本実施形態では、操作パネル４００の右端部４００Ａがスキャナ部２００の右端部２００Ｂより左側に位置し、かつ、操作パネル４００の左端部４００Ｂがスキャナ部２００の左端部２００Ｃより右側に位置しているので、操作パネル４００を操作すべく、ユーザが手を操作パネル４００側に移動させたときに、手が操作パネル４００に当たってしまうことを抑制できる。
【００６１】
ところで、記録シートの明度は通常、マンセル値で９以上と明るく、かつ、プリンタ部１００の前面１０９の明度が記録シートの明度と近接しているので、本実施形態のように、排紙トレイ１０１Ａの明度をプリンタ部１００の１０９前面の明度より暗くすれば、記録シートを際立たせることができ、排紙トレイ１０１Ａ上に排出された記録シートを見つけ易くすることができる。
【００６２】
また、本実施形態では、プリンタ部１００の前面１０９の明度がプリンタ部１００の前面１０９の明度と近接し、かつ、操作パネル４００及び排紙トレイ１０１Ａの明度が、支柱部３００の明度より暗いので、排紙トレイ１０１Ａ上に排出された記録シートを見つけ易くすることができる。
【００６３】
ところで、画像撮像素子２０５の走査開始位置（ホームポジション）では、走査開始位置の確認作業や白基準の確認作業等が実行されるが、この確認作業時に静止読取窓２０２に光が入射すると、確認作業に悪影響を及ぼしてしまう。
【００６４】
これに対して、本実施形態では、原稿トレイ２１１及び画像撮像素子２０５の走査開始位置に対応する部位（図５のＡ部）の明度は、その他の部位の明度に比べて暗くなるように設定されているので、スキャナカバー２０４を透過して静止読取窓２０２に至る光を効果的に遮断することができる。したがって、確認作業時に静止読取窓２０２に光が入射してしまうことを抑制できるので、確認作業に悪影響が生じることを抑制できる。
【００６５】
（その他の実施形態）
上述の実施形態では、映像撮像素子２０５として、ＣＩＳを用いたが、本発明はこれに限定されるものではなく、例えばＣＣＤ（Charge-Coupled Device）を用いてもよい。
【００６６】
また、上述の実施形態に係るスキャナ部２００は、静止原稿読取機能及び自動搬送読取機能を備えるものであったが、本発明はこれに限定されるものではなく、静止原稿読取機能及び自動搬送読取機能のいずれか一方を有するものであってもよい。
【００６７】
また、上述の実施形態では、スキャナ部２００は、支柱部３００の後方側の部位にヒンジ機構を介して揺動可能に組み付けられていたが、本発明はこれに限定されるものではなく、例えばスキャナ部２００を支柱部３００以外の部位に揺動可能に組み付ける、又はスキャナ部２００を揺動不可の状態で支柱部３００に組み付ける等してもよい。
【００６８】
また、上述の実施形態では、右前曲面１１１に通気口１２３が設けられていたが、本発明はこれに限定されるものではない。
また、上述の実施形態では、プリンタ部１００は電子写真方式の画像形成装置にて構成されていたが、本発明はこれに限定されるものではなく、例えばインクジェット方式の画像形成装置であってもよい。
【００６９】
また、上述の実施形態では、接続端子１０５としてＵＳＢ端子が設けられていたが、本発明はこれに限定されるものではない。
また、本発明は、特許請求の範囲に記載された発明の趣旨に合致するものであればよく、上述の実施形態に限定されるものではない。
【図面の簡単な説明】
【００７０】
【図１】本発明の実施形態に係る画像形成装置１の外観斜視図である。
【図２】本発明の実施形態に係る画像形成装置１の正面図である。
【図３】本発明の実施形態に係る画像形成装置１の左側面図である。
【図４】本発明の実施形態に係る画像形成装置１の右側面図である。
【図５】本発明の実施形態に係る画像形成装置１の上面図である。
【図６】本発明の実施形態に係る画像形成装置１の背面図である。
【図７】本発明の実施形態に係る画像形成装置１において、スキャナ部２０を開いた状態を示す斜視図である。
【図８】本発明の実施形態に係る画像形成装置１において、スキャナカバー２０４が開いた状態を示す斜視図である。
【図９】本発明の実施形態に係るスキャナ部２００の断面図である。
【符号の説明】
【００７１】
１…画像形成装置、２０…スキャナ部、１００…プリンタ部、１００Ａ…前端部、
１０１…排出空間、１０１Ａ…排紙トレイ、１０１Ｂ…開口部、１０２…排出口、
１０２…両読取窓、１０３…開閉ドア、１０４…給紙トレイ、１０５…接続端子、
１０５Ａ…基板、１０６…マルチパーパストレイ、１０７…右側面、１０９…前面、
１１１…右前曲面、１１３…左側面、１１５…左前曲面、１１７…後面、
１１９…右後曲面、１２１…左後曲面、１２３…通気口、１２５…把持部、
２００…スキャナ部、２００Ａ…前端部、２００Ｂ…右端部、２００Ｃ…左端部、
２０１…本体部、２０２…静止読取窓、２０２…両読取窓、２０２Ａ…プラテン、
２０３…自動読取窓、２０４…スキャナカバー、２０５…映像撮像素子、
２０５…画像撮像素子、２０６…キャリッジ、２１０…自動原稿搬送機構、
２１１…原稿トレイ、２１１Ａ…角部、２１２…排出トレイ、３００…支柱部、
３０１…傾斜面、３０２…境界線、４００…操作パネル、４００Ａ…右端部、
４００Ｂ…左端部、４００Ｃ…前端部。
【図１】
2008052037.tif 000003
【図２】
2008052037.tif 000004
【図３】
2008052037.tif 000005
【図４】
2008052037.tif 000006
【図５】
2008052037.tif 000007
【図６】
2008052037.tif 000008
【図７】
2008052037.tif 000009
【図８】
2008052037.tif 000010
【図９】
2008052037.tif 000011